(57)【要約】【課題】岩盤に設置した崩落予測器を用いて岩盤の崩落予測をするものであって、該設置する場合に、正確に水平状態に設置する等の手間が不要で、簡単にしかも暗い夜間でも照明器具無く観測できるものを提供する。【解決手段】球状のケーシング２に、互いに交じり合わない液体５と気体６とを封入すると共に、液体５に蓄光顔料を混入し、さらに経緯度の印とが形成されたものを崩落予測器１とし、該崩落予測器１を岩盤Ｒに設置し、液体表面の経緯度の変化を、蓄光顔料から発せられる光を利用して夜間、離間したところからでも観測できるようにし、変化が予め設定された値に達したとき崩落の惧れがあると予測するようにしたもの。【選択図】図２
2010197216.tif 000002
【特許請求の範囲】
【請求項１】
岩盤の崩落予測器であって、該崩落予測器は、中空状のケーシングと、該ケーシングに施された経緯度の印と、ケーシングに封入された互いに交じり合わない液体および気体と、液体に混入した蓄光顔料とからなり、岩盤に固定した崩落予測器内の液体と気体との境界線の観測が、蓄光顔料から放出される光によりできるように構成されていることを特徴とする岩盤の崩落予測器。
【請求項２】
液体には、光反射部材が混合されていることを特徴とする請求項１記載の岩盤の崩落予測器。
【請求項３】
岩盤の崩落予測器であって、該崩落予測器は、中空状のケーシングと、該ケーシングに施された経緯度の印と、ケーシングに封入された互いに交じり合わず、比重が異なる二種類の流体と、ケーシングに塗布した蓄光顔料とからなり、岩盤に固定した崩落予測器内の二流体の境界線の観測が、蓄光顔料から放出される光によりできるように構成されていることを特徴とする岩盤の崩落予測器。
【請求項４】
蓄光顔料は、ケーシングの比重が軽い流体側面に塗布されていることを特徴とする請求項２記載の岩盤の崩落予測器。
【請求項５】
蓄光顔料は、ケーシングの比重が重い流体側面に塗布されていることを特徴とする請求項２記載の岩盤の崩落予測器。
【請求項６】
二種類の流体のうち、一方は気体、他方は液体であり、該液体には光反射部材が混合されていることを特徴とする請求項３乃至５の何れか１記載の岩盤の崩落予測器。
【請求項７】
岩盤の崩落予測方法であって、中空状のケーシングと、該ケーシングに施された経緯度の印と、ケーシングに封入され、互いに交じり合わない気体および液体と、液体に混入した蓄光顔料とからなる崩落予測器を岩盤に固定し、該固定した崩落予測器内の流体の気体との境界線が通る経緯度の観測を蓄光顔料から放出される光によりできるようにしたことを特徴とする岩盤の崩落予測方法。
【請求項８】
岩盤の崩落予測方法であって、中空状のケーシングと、該ケーシングに施された経緯度の印と、ケーシングに封入された互いに交じり合わず、比重が異なる二種類の流体と、ケーシングに塗布した蓄光顔料とからなる崩落予測器を岩盤に固定し、該固定した予測器内の二流体の境界線が通る経緯度の観測を蓄光顔料から放出される光によりできるように構成されていることを特徴とする岩盤の崩落予測方法。
【発明の詳細な説明】
【技術分野】
【０００１】
本発明は、鉄道や道路、あるいは民家等の人間生活に関与するところに崩落する惧れがある岩盤の崩落予測器および崩落予測方法の技術分野に属するものである。
【背景技術】
【０００２】
今日、自然災害の一つとして、鉄道や道路、あるいは民家等の人間生活に関与するところに岩盤が崩落する場合がある。このような岩盤の崩落は、予測することが難しく、定期的に係員が巡回して岩盤の様子を観測し、崩落をする惧れのある岩盤を見つけ出す、という作業が強いられていたが、このような崩落の予測は係員によって個人差があり、正確に予測することが難しいという問題がある。
そこで岩盤上に水平状態に設置された載置台の表面に球体を載置し、岩盤が傾斜することに伴い載置台が傾斜すると、球体が載置台から落下することで崩落予測をするようにしたものが知られている（例えば特許文献１）。
【先行技術文献】
【特許文献】
【０００３】
【特許文献１】特開２００８−１７０４２６号公報
【発明の概要】
【発明が解決しようとする課題】
【０００４】
ところが前記従来のものは、載置台を岩盤上に正確に水平に設置しなければならないうえに、風雨の影響を受けないようにするため載置台を確りとカバーする必要があり、部品点数が多くなるだけでなく、設置作業に手間がかかるという問題がある。しかも前記従来のものは、いちいち設置現場まで行き、しかも夜間のように暗いところでは懐中電灯等の照明機器が無いと観測できないという問題があり、これらに本発明が解決せんとする課題がある。
【課題を解決するための手段】
【０００５】
本発明は、上記の如き実情に鑑みこれらの課題を解決することを目的として創作されたものであって、請求項１の発明は、岩盤の崩落予測器であって、該崩落予測器は、中空状のケーシングと、該ケーシングに施された経緯度の印と、ケーシングに封入された互いに交じり合わない液体および気体と、液体に混入した蓄光顔料とからなり、岩盤に固定した崩落予測器内の液体と気体との境界線の観測が、蓄光顔料から放出される光によりできるように構成されていることを特徴とする岩盤の崩落予測器である。
請求項２の発明は、液体には、光反射部材が混合されていることを特徴とする請求項１記載の岩盤の崩落予測器である。
請求項３の発明は、岩盤の崩落予測器であって、該崩落予測器は、中空状のケーシングと、該ケーシングに施された経緯度の印と、ケーシングに封入された互いに交じり合わず、比重が異なる二種類の流体と、ケーシングに塗布した蓄光顔料とからなり、岩盤に固定した崩落予測器内の二流体の境界線の観測が、蓄光顔料から放出される光によりできるように構成されていることを特徴とする岩盤の崩落予測器である。
請求項４の発明は、蓄光顔料は、ケーシングの比重が軽い流体側面に塗布されていることを特徴とする請求項２記載の岩盤の崩落予測器である。
請求項５の発明は、蓄光顔料は、ケーシングの比重が重い流体側面に塗布されていることを特徴とする請求項２記載の岩盤の崩落予測器である。
請求項６の発明は、二種類の流体のうち、一方は気体、他方は液体であり、該液体には光反射部材が混合されていることを特徴とする請求項３乃至５の何れか１記載の岩盤の崩落予測器である。
請求項７の発明は、岩盤の崩落予測方法であって、中空状のケーシングと、該ケーシングに施された経緯度の印と、ケーシングに封入され、互いに交じり合わない気体および液体と、液体に混入した蓄光顔料とからなる崩落予測器を岩盤に固定し、該固定した崩落予測器内の流体の気体との境界線が通る経緯度の観測を蓄光顔料から放出される光によりできるようにしたことを特徴とする岩盤の崩落予測方法である。
請求項８の発明は、岩盤の崩落予測方法であって、中空状のケーシングと、該ケーシングに施された経緯度の印と、ケーシングに封入された互いに交じり合わず、比重が異なる二種類の流体と、ケーシングに塗布した蓄光顔料とからなる崩落予測器を岩盤に固定し、該固定した予測器内の二流体の境界線が通る経緯度の観測を蓄光顔料から放出される光によりできるように構成されていることを特徴とする岩盤の崩落予測方法である。
【発明の効果】
【０００６】
請求項１または７の発明とすることにより、岩盤に、正確に水平状に取り付ける必要はなく、しかも夜間、遠くからであっても蓄光顔料から放出される光によって液体の気体との境界面が観察できることになって岩盤の崩落予測が容易になる。
請求項２の発明とすることで、蓄光顔料から放出される光が光反射部材によって乱反射されて境界面の視認がより容易になる。
請求項３または８の発明とすることにより、岩盤に、正確に水平状に取り付ける必要はなく、しかも夜間、遠くからであっても蓄光顔料から放出される光によって二流体の境界面が観察できることになって岩盤の崩落予測が容易になる。
請求項４、５または６の発明とすることにより、ケーシングに塗布した蓄光顔料からの光によって二流体間の境界面を、夜間、離れたところからの観測ができることになって地盤の崩落予測がより確実になる。
【図面の簡単な説明】
【０００７】
【図１】第一の実施の形態を示す岩盤の崩落予測器の正面図である。
【図２】崩落予測器を岩盤に設置した状態を示す正面図である。
【図３】崩落予測器の斜視図である。
【図４】（Ａ）（Ｂ）は第二、第三の実施の形態を示す岩盤の崩落予測器の天側から見た斜視図、底側から見た斜視図である。
【発明を実施するための形態】
【０００８】
次ぎに、本発明の実施の形態について図面に基づいて説明する。１は岩盤の崩落予測器であって、該崩落予測器１は、中空の球体をケーシング２として用いているが、該ケーシング２は、透明または半透明樹脂材を用いて構成されている。そしてケーシング２には、経線３と緯線４、そして経度３ａと緯度４ａとが印刷や切欠き（罫書き）等の適宜印形成手段で形成されていると共に、ケーシング２内には、液体５と空気６が内容積の１／２づつ充填されている。
【０００９】
液体には、蓄光顔料の微粒子が混入されている。蓄光顔料は、太陽光や蛍光灯の光、特に紫外線で励起してそのエネルギーを吸収し、吸収したエネルギーを可視光に変換し、暗くなって励起停止後も光を徐々に放出しながら長時間発光し続けることを長期に亘って繰り返しできる顔料であって、例えば特許第４２１２１０１号公報や特開２０００−１０４００１号公報に記載されるような公知の化合物を採用することができる。
【００１０】
また、液体としては水を用いることができるが、グリセリン等、沸点が高い液体を採用することができる。そしてこのものに真珠や牡蠣殻等の微粉末、金や銀等の金属の微粉末からなる光反射部材を入れておくと液体と空気との境界面の観測がより容易になる。この光反射部材の微粉末は乳濁していて乱反射する所謂チンダル現象を呈するものであることが好ましい。そしてこのような光反射部材は、蓄光顔料とともに沈殿しない程度の微粉末であることが好ましく、沈殿しないための配慮として乳化剤（界面活性剤）を液体に添加しておいても勿論よい。
【００１１】
このように構成された崩落予測器１を、崩落の惧れがあると推定される岩盤Ｒに接着剤８で固定（接着）することになるが、この場合に、液体５が赤道を通るようにケーシング２を固定することが好ましい。このように固定した後のケーシング２について、液体５が横切るところの経線３、緯線４の経度３ａ、緯度４ａを正確に記録する。このような記録を、定期的に、あるいは台風や大雨の異常天候があったときには不定期に係員が観測することになるが、液体５と空気６との境界面は、蓄光顔料から放出される光によって夜間でも認識することができ、これを記録する。このようにして観測した記録について、液体５の表面（気体６との境界）５ａが横切る経度、緯度に変化が認められた場合、岩盤Ｒは移動していると判断し、要注意岩盤として観測を頻繁にし、例えば設置当初の状態から５度ほど傾いたときを崩落の惧れがある岩盤Ｒであるとして崩落予測をし、撤去したり補強したりの必要な措置をとるよう管理される。
【００１２】
叙述の如く構成された本発明の実施の形態において、岩盤Ｒに崩落予測器１を設置し、液体５の表面が通る経緯度を経時的に測定することで岩盤Ｒの移動状態を知ることが蓄光顔料から放出される光によって夜間でもでき、しかもこの観測は、双眼鏡を使う等すれば夜間離れたところからでもでき、そして岩盤Ｒが予め設定される崩落予測角度だけ移動した場合に、崩落の惧れがある岩盤Ｒであるとして特定し、必要な措置を採ることができる。しかもこの場合に、経時変化をグラフ化しておくことで変化速度も知ることができ、これによって将来的な変化の予測もできることになる。
【００１３】
このように、本発明が実施されたものにおいては、岩盤Ｒの崩落予測ができるものであるが、ケーシング２内の液体５の表面が通る経緯度を経時的に測定するものであるため、設置時、液体５の表面が正確に水平を向くように設置する必要はなく、誤差があっても問題なく観測ができるため、設置作業が簡単になる。しかもケーシング２に液体５と空気６とを封入したものであるため、風雨等の影響を受けることもない。
【００１４】
しかもこのものでは、液体５に蓄光顔料が混入されているため、暗い夜間、いちいち現場まで照明器具を持って行って観測するような必要がなく、離れたところからの観測もできる。
そのうえこのものでは液体５に混入されている光反射部材が蓄光顔料からの光を反射して光るため、より観測しやすいものとなる。
【００１５】
尚、本発明は前記実施の形態のように、蓄光顔料を液体に混入させたものに限定されないことは勿論であって、図４に示すようにケーシング２の表面または内面に蓄光顔料７を含有する塗料を塗布したものであっても良く、この場合、気体側の天面に施したもの（同図（Ａ）参照）、また逆に液体側の底面に施したもの（同図（Ｂ）参照）としても実施することができる。
また封入する二種類の流体としては、気体と液体に限定されず、比重が異なっていて互いに交じり合わず境界線が識別可能なもの同士であれば特に限定されず、例えば水と油のようなものであっても良い。そして境界線をより確実に認識するためには、二種類の流体の色が異なったものが好ましい。
さらにまた、経緯度は岩盤姿勢の変化が観測できるものであれば特に限定されず、点表示されたもの、さらには傾斜状になっているものであっても良いことはいうまでもない。
またさらに、経緯度の表示としては、前記実施の形態では透光性のものに経緯度を描いたものとしたが、逆に、ケーシング２の表面を黒塗りする等して不透光にすると共に経緯度を切り抜きしたものとして内部流体が切り抜かれた経緯度を通して観測できるようにしても実施することができる。
【符号の説明】
【００１６】
１    崩落予測器
２    ケーシング
３    経線
３ａ  経度
４    緯線
４ａ  緯度
５    液体
６    気体
７    蓄光顔料
【図１】
2010197216.tif 000003
【図２】
2010197216.tif 000004
【図３】
2010197216.tif 000005
【図４】
2010197216.tif 000006